(57)【要約】【課題】千羽鶴の被贈呈者が、贈呈者の趣旨、例えば「慶祝、寿、祝、希望、祈、必勝、勇気、闘志、合格、愛、ＨＡＰＰＹ」等をより強く感じることができる、千羽鶴と写真等の一体型アルバム帳を提供する。【解決手段】アルバム帳１００は、表紙体１を構成する背表紙１ａ、オモテ表紙１ｂ及びウラ表紙１ｃと、折り鶴収納部４ａが形成された折り鶴等収納台紙４の裏面４ｄ又は表面４ｅに写真Ｐｈ１、Ｐｈ２、シール、カード、チケット、ハガキ等のシート体を取り付けるための取付台紙１０を添着してなる。【選択図】図１
2011148281.tif 000002
【特許請求の範囲】
【請求項１】
背表紙、オモテ表紙及びウラ表紙からなる表紙体と、
折り鶴を収納する収納部が形成された複数枚の折り鶴等収納台紙と、
当該折り鶴等収納台紙を前記表紙体に綴じ込む綴じ具と、
からなる千羽鶴と写真等の一体型アルバム帳であって、
前記折り鶴収納部が形成された折り鶴等収納台紙の裏面又は表面に写真、シール、カード、チケット、ハガキ等のシート体を取り付けるための取付台紙を添着してなること、を特徴とする千羽鶴と写真等の一体型アルバム帳。
【請求項２】
前記表紙体と前記折り鶴等収納台紙間に、
千羽鶴贈呈者から被贈呈者へのメッセージ、写真、イラスト又は寄せ書き等を表記するための見開き及び／又はメッセージシートを、前記綴じ具を介して綴じ込んだこと、を特徴とする請求項１に記載の千羽鶴と写真等の一体型アルバム帳。
【請求項３】
前記表紙体における背表紙には千羽鶴の文字を表記し、
前記オモテ表紙又はウラ表紙には１〜複数の鶴又は折り鶴の図形又は文字が表示されるかあるいは刺繍されていること、を特徴とする請求項１〜請求項２の何れかに記載の千羽鶴と写真等の一体型アルバム帳。
【請求項４】
前記見開きには少なくとも千羽鶴贈呈の趣旨を表す文字、図形、被贈呈者及び贈呈者の氏名又は名称が表記されていること、を特徴とする請求項２に記載の千羽鶴と写真等の一体型アルバム帳。
【請求項５】
前記複数枚からなる折り鶴等収納台紙には少なくとも合計して千羽又はそれ以上の折り鶴が収納されていること、を特徴とする請求項１〜請求項３の何れかに記載の千羽鶴と写真等の一体型アルバム帳。
【請求項６】
前記見開き、メッセージシート及び折り鶴等収納台紙が、Ａ４判、Ｂ５判又はＢ４判からなること、を特徴とする請求項１〜請求項５の何れかに記載の千羽鶴と写真等の一体型アルバム帳。
【請求項７】
折り鶴等収納台紙は折り鶴の厚みとほぼ司寸かやや大とした厚紙、合成紙又は合成樹脂シートからなり、当該厚紙、合成紙又は合成樹脂シートには折り鶴の首、尾羽及び両翼を折り曲げない形状で表裏面が打ち抜かれた収納部が、１又は複数設けられていること、を特徴とする千羽鶴と写真等の一体型アルバム帳を制作するための折り鶴等収納台紙。
【請求項８】
前記折り鶴等収納台紙の裏面又は表面に写真、シール、カード、チケット、ハガキ等のシート体を取り付けるための取付台紙は、紙、合成紙又は合成樹脂シートを素材とし前記折り鶴等収納台紙と同大としていること、を特徴とする請求項７に記載の千羽鶴と写真等の一体型アルバム帳を制作するための折り鶴等収納台紙。
【請求項９】
前記折り鶴等収納台紙に形成される前記収納部の形状と大きさは、折り鶴の形状と大きさと同大又はやや大とされていること、を特徴とする請求項７〜請求項８の何れかに記載の千羽鶴と写真等の一体型アルバム帳を制作するための折り鶴等収納台紙。
【請求項１０】
前記収納部の断面形状は、前記折り鶴等収納台紙の裏面又は表面に対して直角又は傾斜角をなしていること、を特徴とする請求項７〜請求項９の何れかに記載の千羽鶴と写真等の一体型アルバム帳を制作するための折り鶴等収納台紙。
【請求項１１】
前記取付台紙の表面又は裏面には粘着剤が塗布され、前記収納部に収納された折り鶴及び写真、シール、カード、チケット、ハガキ等のシート体は、前記折り鶴等収納台紙と共に透明樹脂フィルムで挟着されていること、を特徴とする請求項７〜請求項１０の何れかに記載の千羽鶴と写真等の一体型アルバム帳を制作するための折り鶴等収納台紙。
【請求項１２】
前記取付台紙は無色、有色又は模様入り、かつ透明又は半透明であること、を特徴とする請求項８又は請求項１１の何れかに記載の千羽鶴と写真等の一体型アルバム帳を制作するための折り鶴等収納台紙。
【発明の詳細な説明】
【技術分野】
【０００１】  本発明は、千羽鶴と写真等の一体型アルバム帳及び折り鶴等収納台紙に関し、より詳しくは、長寿、病気快癒等の慶び、願い又は励まし等を込めて贈られ、千羽鶴を贈られた人が、折り鶴等収納台紙内に美麗に配設された折り鶴を見ることができると共にかつ、折り鶴等収納台紙の裏面又は表面には千羽鶴を贈った関係者の写真等が貼着された千羽鶴と写真等の一体型アルバム帳及び千羽鶴と写真等の一体型アルバム帳を制作するための折り鶴等収納台紙に関する。
【背景技術】
【０００２】  中国及び日本においては、「鶴は千年、亀万年」ということわざがあるように、鶴は長寿と慶事のシンボルとされている。また鶴が空中を飛翔する姿や地上での優雅な舞や姿勢を和服の絵柄等に採り入れたり、結婚披露宴に使用される室名、テーブル名や各種慶事等にも広く用いられている。【０００３】  従来、折り鶴は、折り紙を鶴に似せて所定の手順で制作されるものであり、折り鶴を千羽、紐又は糸を通し束ねて掛吊し、柱体等に取り付けたり、透明樹脂ケース内に収納して贈呈されている。古来より、千羽鶴は長寿、病気の快癒等に効能があると信じられ、例えば喜寿、傘寿、米寿又は白寿等を迎えた人や、病気又は怪我等による入院患者等に親族、友人、知己等によってプレゼントされる慣習がある。そのほかに千羽鶴は、スポーツ大会での健闘を祈念して、当該チーム等にチームメイトや関係者等から贈られることもある。このように、千羽鶴は、その制作者（贈呈者）一人一人からの「祝い」、「祈り」又は「励まし」等の心が込められたものであり、贈られた人（被贈呈者）は、これにより「慶び」、「望み」又は「勇気」、「闘志」等が得られる。【０００４】  本願出願人による調査によれば、例えば、特許文献１の「折り鶴作成方法」（第１頁、参照）、特許文献２の「三角形の紙で作る折鶴」（第１頁、参照）等の折り鶴に関する先行技術文献が発見されたが、千羽鶴の制作及び折り鶴を収納するアルバム帳ないし千羽鶴と写真等の一体型アルバム帳あるいは折り鶴を収納する折り鶴等収納台紙等に関連する先行技術文献は、検索されなかった。【０００５】  上述のように、従来の千羽鶴の制作は、１〜複数の人が折り紙を所定の手順で制作した折り鶴を千羽集束し、紐又は糸を通して綴じ込み、柱体又は透明樹脂ケースの天板等に縦状に掛吊し、その制作者（贈呈者）から個人又はチーム等の被贈呈者に贈呈されている。【０００６】  しかしながら、上記、従来の千羽鶴の制作、折り鶴の収納及び贈呈後の管理等には、以下のような欠点や問題点等がある。即ち、
（１）折り終った折り鶴の数量が不明になり、たびたび数え直す必要があり、制作完了日を予測することが困難である。
（２）折り鶴を束ねた後、紐や糸での通し及び綴じ込み作業が煩瑣である。
（３）柱体やケース内に縦状に掛吊された千羽鶴は、贈られた人にはその一部しか見ることができない。
（４）千羽鶴を贈られた人は、千羽鶴の制作に携わった個々の名前を知りたい、又は礼状を差し出したいという希望があるが、従来の千羽鶴では、それが困難である。
（５）従来の千羽鶴の展示方法、特に、柱体に掛吊しているものには、千羽鶴の表面に埃が付着しやすいので、長期の保存には適さない。また例えば、病気や怪我等が快癒した後の処理、収納等に困惑している。
（６）例えば、入院患者への千羽鶴について、折り鶴の首、尾羽及び両翼は折らない方がよいとされている。
等々が指摘されている。
そこで、本願発明者は、上記従来技術が有する各種問題点に鑑み、これらの問題点を解決するために鋭意検討を重ね、特許文献３を取得したものである。特許文献３の「千羽鶴収納ファイル及び折り鶴用台紙」は、千羽鶴の被贈呈者が、折り鶴用台紙内に美麗に配設された折り鶴及び当該折り鶴制作者の名前やメッセージ等を随時見ることができると共に、これにより被贈呈者は、「慶び」、「望み」、「勇気」又は「闘志」等が繰り返し得られる千羽鶴収納ファイルの提供という主な課題を解決することができた。
【先行技術文献】
【特許文献】
【０００７】
【特許文献１】特開２００４−２２９７３９号公報
【特許文献２】特開平９−２８５６５０号公報
【特許文献３】実用新案登録第３１５５７５４号公報
【発明の概要】
【発明が解決しようとする課題】
【０００８】  しかしながら、本願発明者は、特許文献３が課題とした被贈呈者の心にさらなる「慶び」、「望み」、「勇気」又は「闘志」等を倍加するために、単に千羽鶴を贈呈するだけでなく、千羽鶴制作に携わった友人、親戚又は関係者等の写真、シール、カード、チケット、ハガキ等を添着すれば、その相乗効果は多大になることに着目して本願発明を完成したものである。
そこで本願発明が解決しようとする、
（１）第１の課題は、千羽鶴の被贈呈者が、贈呈者の趣旨、例えば「慶祝、寿、祝、希望、祈、必勝、勇気、闘志、合格、愛、ＨＡＰＰＹ」等をより強く感じることができる、千羽鶴と写真等の一体型アルバム帳を提供することにある。
（２）第２の課題は、第１の課題を解決することができる、千羽鶴と写真等の一体型アルバム帳を制作するための折り鶴等収納台紙を提供することにある。
【課題を解決するための手段】
【０００９】  課題を解決するための手段は、本願、特許請求の範囲の各請求項に記載の発明であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願発明における特許請求の範囲、明細書及び要約書等に記載の用語についての解釈上の疑義を解消すべく、以下に本発明の特許請求の範囲、明細書等に記載する用語の説明を行うこととする。
〈用語の説明〉
「千羽鶴と写真等の一体型アルバム帳」とは、千羽の折り鶴を収納した複数枚からなる折り鶴等収納台紙と千羽鶴の被贈呈者及び当該折り鶴作成者等の関係者の写真、シール、カード、チケット、ハガキ等を貼付した複数枚の取付台紙等を綴じ具と表紙体により、ファイリングしたものをいう。
「折り鶴等収納台紙とは」、折り鶴を収納するための厚紙、合成紙又は合成樹脂シートをいう。折り鶴の厚みとほぼ同寸かやや大とした厚紙、合成紙又は合成樹脂シートからなり、当該厚紙、合成紙又は合成樹脂シートには折り鶴の首、尾羽及び両翼を折り曲げない形状で表裏面が打ち抜かれた収納部が、１〜複数形成されている。Ａ４判、Ｂ５判又はＢ４判の大きさで、収納部近傍には１羽〜１０００羽の番号が順列して表裏面に表示され、１セットとして販売することができる。
「取付台紙」とは、折り鶴等収納台紙の表面又は裏面に粘着剤を介して添着されるもので、その素材及び大きさは、折り鶴等収納台紙と同様で、その裏面又は表面には、写真、シール、カード、チケット、ハガキ等のシート体が貼付される。
「表面」とは、オモテ表紙側の面をいう。
「裏面」とは、ウラ表紙側の面をいう。
「合成紙」とは、プラスチックをおもな素材とし、筆記および印刷が可能なように紙化加工したシート状のものをいう。
「表紙体」とは、背表紙、オモテ表紙及びウラ表紙全体の総称である。
「綴じ具」とは、見開き、メッセージシート及び折り鶴等収納台紙等を綴じ込むための器具をいう。金属又は硬質樹脂材からなり、背表紙の内面に装着される。
「被贈呈者」とは、千羽鶴を贈られる人をいう。例えば、喜寿、傘寿、米寿又は白寿等を迎える長寿者、銀婚式又は金婚式等を迎える夫妻、病気や怪我等での入院患者又は高校野球、サッカー等のスポーツ大会に出場するチーム等である。
「贈呈者」とは、折り鶴を制作し、千羽鶴を贈る１〜複数の人をいう。例えば、長寿を迎える人、入院患者又は大会出場チーム等の親族、友人、知己又は関係者等である。
「千羽鶴贈呈の趣旨」とは、例えば、「千羽鶴」、「祝」、「祈」、「頑張れ」、「入魂」等の比較的短い文字等で表意する趣をいう。また千羽鶴の被贈呈者に贈呈者からの、例えば「慶祝、寿、祝、希望、祈、必勝、勇気、闘志、合格、愛、ＨＡＰＰＹ」等の心、思いをいう。これらの文字を背表紙、オモテ表紙、見開き又はメッセージシート等に表記することにより、また、千羽鶴と共に取付台紙に写真、シール、カード、チケット、ハガキ等を貼付することによって、被贈呈者は、例えば「慶祝、寿、祝、希望、祈、必勝、勇気、闘志、合格、愛、ＨＡＰＰＹ」等をより強く感じることができる。
「収納部」とは、折り鶴を一羽毎に収納するための折り鶴等収納台紙に打ち抜かれた穿設穴部をいう。各折り鶴等収納台紙に複数設けられるもので、折り鶴の首、尾羽及び両翼は、下向きに折曲しない形状（例えば、平面視王冠状）で、折り鶴は平坦状に折り畳まれた態様で収納される。またその形状、大きさ及び数量は、折り鶴の形状、大きさ及び数量によって選択される。
＊＊＊＊＊＊＊＊＊＊＊＊＊＊＊＊＊＊＊＊＊＊＊＊＊＊＊＊＊＊＊＊＊＊＊＊＊＊＊【００１０】  上記の課題を解決するための第１の発明は、請求項１に記載の発明であり、
背表紙、オモテ表紙及びウラ表紙からなる表紙体と、
折り鶴を収納する収納部が形成された複数枚の折り鶴等収納台紙と、
当該折り鶴等収納台紙を前記表紙体に綴じ込む綴じ具と、
からなる千羽鶴と写真等の一体型アルバム帳であって、
前記折り鶴収納部が形成された折り鶴等収納台紙の裏面又は表面に写真、シール、カード、チケット、ハガキ等のシート体を取り付けるための取付台紙を添着してなることを特徴としている。【００１１】  上記の課題を解決するための第２の発明は、請求項２に記載の発明であり、
請求項１に記載の千羽鶴と写真等の一体型アルバム帳であって、
前記表紙体と前記折り鶴等収納台紙間に、
千羽鶴贈呈者から被贈呈者へのメッセージ、写真、イラスト又は寄せ書き等を表記するための見開き及び／又はメッセージシートを、前記綴じ具を介して綴じ込んだことを特徴としている。【００１２】  上記の課題を解決するための第３の発明は、請求項３に記載の発明であり、
請求項１〜請求項２のいずれかに記載の千羽鶴と写真等の一体型アルバム帳であって、
前記表紙体における背表紙には千羽鶴の文字を表記し、
前記オモテ表紙又はウラ表紙には１〜複数の鶴又は折り鶴の図形又は文字が表示されるかあるいは刺繍されていることを特徴としている。【００１３】  上記の課題を解決するための第４の発明は、請求項４に記載の発明であり、
請求項２に記載の千羽鶴と写真等の一体型アルバム帳であって、
前記見開きには、少なくとも千羽鶴贈呈の趣旨を表す文字、図形、被贈呈者及び贈呈者の氏名又は名称が表記されていることを特徴としている。【００１４】  上記の課題を解決するための第５の発明は、請求項５に記載の発明であり、
請求項１〜請求項３のいずれかに記載の千羽鶴と写真等の一体型アルバム帳であって、
前記複数枚からなる折り鶴等収納台紙には少なくとも合計して千羽又はそれ以上の折り鶴が収納されている、
ことを特徴としている。【００１５】  上記の課題を解決するための第６の発明は、請求項６に記載の発明であり、
請求項１〜請求項５の何れかに記載の千羽鶴と写真等の一体型アルバム帳であって、
前記見開き、メッセージシート及び折り鶴等収納台紙が、Ａ４判、Ｂ５判又はＢ４判からなることを特徴としている。【００１６】  上記の課題を解決するための第７の発明は、請求項７に記載の発明であり、
折り鶴等収納台紙は折り鶴の厚みとほぼ同寸かやや大とした厚紙、合成紙又は合成樹脂シートからなり、当該厚紙、合成紙又は合成樹脂シートには折り鶴の首、尾羽及び両翼を折り曲げない形状で表裏面が打ち抜かれた収納部が、１又は複数設けられていることを特徴としている。【００１７】  上記の課題を解決するための第８の発明は、請求項８に記載の発明であり、請求項７に記載の千羽鶴と写真等の一体型アルバム帳を制作するための折り鶴等収納台紙であって、
前記折り鶴等収納台紙の裏面又は表面に写真、シール、カード、チケット、ハガキ等のシート体を取り付けるための取付台紙は、紙、合成紙又は合成樹脂シートを素材とし前記折り鶴等収納台紙と同大としていることを特徴としている。【００１８】  上記の課題を解決するための第９の発明は、請求項９に記載の発明であり、請求項７〜請求項８の何れかに記載の千羽鶴と写真等の一体型アルバム帳を制作するための折り鶴等収納台紙であって、
前記折り鶴等収納台紙に形成される前記収納部の形状と大きさは、折り鶴の形状と大きさと同大又はやや大とされていることを特徴としている。【００１９】  上記の課題を解決するための第１０の発明は、請求項１０に記載の発明であり、請求項７〜請求項９の何れかに記載の千羽鶴と写真等の一体型アルバム帳を制作するための折り鶴等収納台紙であって、
前記収納部の断面形状は、前記折り鶴等収納台紙の裏面又は表面に対して直角又は傾斜角をなしていることを特徴としている。【００２０】  上記の課題を解決するための第１１の発明は、請求項１１に記載の発明であり、請求項７〜請求項１０の何れかに記載の千羽鶴と写真等の一体型アルバム帳を制作するための折り鶴等収納台紙であって、
前記取付台紙の表面又は裏面には粘着剤が塗布され、前記収納部に収納された折り鶴及び写真、シール、カード、チケット、ハガキ等のシート体は、前記折り鶴等収納台紙と共に透明樹脂フィルムで挟着されていることを特徴としている。【００２１】  上記の課題を解決するための第１２の発明は、請求項１２に記載の発明であり、請求項８又は請求項１１の何れかに記載の千羽鶴と写真等の一体型アルバム帳を制作するための折り鶴等収納台紙であって、前記取付台紙は無色、有色又は模様入り、かつ透明又は半透明であることを特徴としている。
【発明の効果】
【００２２】  本発明に係る、千羽鶴と写真等の一体型アルバム帳及び折り鶴等収納台紙は、上記のような特徴的構成要件から構成され、特徴的構成要件に応じた、以下のような本願発明特有の効果を奏する。また、上記のような特徴的構成要件から構成された千羽鶴と写真等の一体型アルバム帳及び折り鶴等収納台紙によれば、本願発明の課題を十分解消することができた。
すなわち、第１の発明によれば、「背表紙、オモテ表紙及びウラ表紙からなる表紙体と、折り鶴を収納する収納部が形成された複数枚の折り鶴等収納台紙と、当該折り鶴等収納台紙を前記表紙体に綴じ込む綴じ具と、からなる千羽鶴と写真等の一体型アルバム帳であって、前記折り鶴収納部が形成された折り鶴等収納台紙の裏面又は表面に写真、シール、カード、チケット、ハガキ等のシート体を取り付けるための取付台紙を添着してなる」という、特徴的な構成要件により、
また第２の発明によれば、「前記表紙体と前記折り鶴等収納台紙間に、千羽鶴贈呈者から被贈呈者へのメッセージ、写真、イラスト又は寄せ書き等を表記するための見開き及び／又はメッセージシートを、前記綴じ具を介して綴じ込んだ」という特徴的な構成要件により、千羽鶴の被贈呈者が、贈呈者の趣旨、例えば「慶祝、寿、祝、希望、祈、必勝、勇気、闘志、合格、愛、ＨＡＰＰＹ」等をより強く感じることができる、千羽鶴と写真等の一体型アルバム帳の提供という第１の課題を解決することができた。即ち、千羽鶴を贈呈する趣旨が、例えば「米寿等の慶祝」であるときは、折り鶴等収納台紙の表面に千羽鶴を収納し、その裏面に設けた取付台紙には、米寿を祝う食事会に参加した全員の集合写真やシール、カード等を貼付することにより、千羽鶴の被贈呈者の「慶び」は倍加する。また、例えば病者の「入院見舞い」あるいは「快癒祈願」等を目的とした千羽鶴の贈呈に際し、取付台紙に写真、シール等の添着は適さないので、千羽鶴のみの折り鶴等収納台紙にするか又は取付台紙に、折り鶴制作者による「早くよくなって下さい」、「快癒祈念」等の寄せ書きや折り鶴制作者の署名入りとすることができる。【００２３】  第３の発明によれば、「前記表紙体における背表紙には千羽鶴の文字を表記し、前記オモテ表紙又はウラ表紙には１〜複数の鶴又は折り鶴の図形又は文字が表示されるかあるいは刺繍されている」という特徴的な構成要件により、
また第４の発明によれば、「前記見開きには少なくとも千羽鶴贈呈の趣旨を表す文字、図形、被贈呈者及び贈呈者の氏名又は名称が表記されている」という特徴的な構成要件により、
さらに第５の発明によれば、「前記複数枚からなる折り鶴等収納台紙には少なくとも合計して千羽又はそれ以上の折り鶴が収納されている」という特徴的な構成要件により、千羽鶴の被贈呈者が、贈呈者の趣旨、例えば「慶祝、寿、祝、希望、祈、必勝、勇気、闘志、合格、愛、ＨＡＰＰＹ」等をより強く感じることができる、千羽鶴と写真等の一体型アルバム帳の提供という第１の課題を解決することができた。即ち、千羽鶴の被贈呈者は、贈呈者の心、気配り、また気概等を深く感じて、その「慶び」、「望み」又は「勇気」、「闘志」等が倍加する効果を奏することができた。【００２４】  第６の発明によれば、「前記見開き、メッセージシート及び折り鶴等収納台紙が、Ａ４判、Ｂ５判又はＢ４判からなる」という、特徴的な構成要件により、見開き、メッセージシート及び折り鶴等収納台紙は、綴じ具を介して適合する表紙体にファイリングされ、千羽鶴の被贈呈者は、贈呈された千羽鶴を、ほぼ半永久的に美麗に保存することができると共に、保存スペースも狭小とする効果も発揮することができた。【００２５】  第７の発明によれば、「折り鶴等収納台紙は折り鶴の厚みとほぼ同寸かやや大とした厚紙、合成紙又は合成樹脂シートからなり、当該厚紙、合成紙又は合成樹脂シートには折り鶴の首、尾羽及び両翼を折り曲げない形状で表裏面が打ち抜かれた収納部が、１又は複数設けられている」という、特徴的な構成要件により、千羽鶴の被贈呈者が、贈呈者の趣旨、例えば「慶祝、寿、祝、希望、祈」等をより強く感じることができる、千羽鶴と写真等の一体型アルバム帳を制作するための折り鶴等収納台紙の提供という第２の課題を解決することができた。特に多数の折り鶴を収納しても嵩高くならない効果を奏することができる。【００２６】  また第８の発明によれば、「前記折り鶴等収納台紙の裏面又は表面に写真、シール、カード、チケット、ハガキ等のシート体を取り付けるための取付台紙は、紙、合成紙又は合成樹脂シートを素材とし前記折り鶴等収納台紙と同大としている」という、特徴的な構成要件により、上述した第２の課題を解決すると共に、折り鶴収納台紙と取付台紙が表裏一体となっているので、千羽鶴の被贈呈者は、折り鶴や取付台紙に貼付された写真、シール、カード、チケット、ハガキ等を交互に閲覧することができ、飽きることがない。【００２７】  また第９の発明によれば、「前記折り鶴等収納台紙に形成される前記収納部の形状と大きさは、折り鶴の形状と大きさと同大又はやや大とされている」という、特徴的な構成要件により、上述した第２の課題を解決すると共に、折り鶴を折り鶴等収納台紙の収納部に格納する作業が容易である。【００２８】  また第１０の発明によれば、「前記収納部の断面形状は、前記折り鶴等収納台紙の裏面又は表面に対して直角又は傾斜角をなしている」という、特徴的な構成要件により、上述した第２の課題を解決すると共に、特に収納部の断面形状を傾斜状としたときは、底部が広いので格納された折り鶴が収まりやすく効率よく作業でき、かつ折り鶴が外方にはみ出すのを防止することができる。【００２９】  また第１１の発明によれば、「前記取付台紙の表面又は裏面には粘着剤が塗布され、前記収納部に収納された折り鶴及び写真、シール、カード、チケット、ハガキ等のシート体は、前記折り鶴等収納台紙と共に透明樹脂フィルムで挟着されている」という、特徴的な構成要件により、上述した第２の課題を解決すると共に、収納台紙の収納部に格納された折り鶴は、取付台紙の粘着剤により安定して固定されるので、収納台紙から脱落することがない。【００３０】  また第１２の発明によれば、「前記取付台紙は無色、有色又は模様入り、かつ透明又は半透明である」という、特徴的な構成要件により、上述した第２の課題を解決すると共に、取付台紙の色は、千羽鶴の被贈呈者が好む色又は模様等を贈呈者が予め調べておき、その色又は模様入りの取付台紙を選択すれば、被贈呈者の喜びは倍加される効果を奏する。
【図面の簡単な説明】
【００３１】
【図１】は、本発明に係る、千羽鶴と写真等の一体型アルバム帳の全体を示す斜視図である。
【図２】は、同オモテ表紙の平面図である。
【図３】は、同オモテ表紙の他の実施形態を示す平面図である。
【図４】は、同オモテ表紙を開いた状態の斜視図である。
【図５】は、同千羽鶴と写真等の一体型アルバム帳における見開きの平面図である。
【図６】は、同千羽鶴と写真等の一体型アルバム帳におけるメッセージシートの平面図である。
【図７】は、折り鶴等収納台紙の各収納部に収納される折り鶴の平面図である。
【図８】は、１羽〜３６羽の折り鶴を収納する収納部を形成したＡ４判折り鶴等収納台紙の表面部の平面図である。
【図９】は、同上裏面部の平面図である。
【図１０】は、図９における１０−１０線拡大断面図である。
【図１１】は、図１０におけるＡ部拡大断面図である。
【図１２】は、図８における１２−１２線拡大断面図である。
【図１３】は、９８７羽〜１０００羽目の折り鶴を収納する収納部を形成したＡ４判折り鶴等収納台紙の表面部の平面図である。
【発明を実施するための形態】
【００３２】  以下、本発明に係る、千羽鶴と写真等の一体型アルバム帳及び折り鶴等収納台紙の一実施形態について、図面を参照して詳細に説明する。図１は、本発明に係る、千羽鶴と写真等の一体型アルバム帳（以下、アルバム帳１００という）の全体を示す斜視図で、アルバム帳１００は、表紙体１を構成する背表紙１ａ、オモテ表紙１ｂ及びウラ表紙１ｃと、千羽鶴贈呈者から被贈呈者へのメッセージ、写真、イラスト又は寄せ書き等を表記するための見開き２及びメッセージシート３と、折り鶴Ｃを収納する収納部が形成された複数枚の折り鶴等収納台紙４（以下、収納台紙４という）と、背表紙１ａの内側面に装着された見開き２、メッセージシート３及び収納台紙４を綴じ込む綴じ具５とからなっている。背表紙１ａには千羽鶴の文字６が表記されている。
【００３３】  図２は、本発明に係るアルバム帳１００のオモテ表紙１ｂで、多数の折り鶴の図形７を表示している。多数の折り鶴の図形７は、ウラ表紙１ｃに表示することもできる。折り鶴の図形７は、例えば赤色折り鶴７ａと白色折り鶴７ｂと交互に配列することができる。もしくは赤色に替えて金色折り鶴７ａとし、白色に替えて銀色折り鶴７ｂとすることもできる。
【００３４】  図３は、オモテ表紙１ｂに多数の折り鶴の図形７を表示すると共に、オモテ表紙１ｂのほぼ中央に「祝」の文字８を表示してなるものである。図４は、オモテ表紙１ｂを開いた状態を示している。見開き２の上段には、被贈呈者の氏名又はチーム名９等の記入欄２ａが設けられている。記入欄２ａの下には千羽鶴贈呈の趣旨を表す「祝米寿」の文字８を入れる趣旨表示欄２ｂが設けられ、見開き２のほぼ中央には折り鶴の大きな図形７が表示されている。また下段には千羽鶴贈呈者からのメッセージ欄２ｃが設けられている。綴じ具５は、見開き２、メッセージシート３及び収納台紙４等を綴じ込むためのものであり、各種の綴じ具５が選択されるが、例えばパイプ型バインダーが好ましい。図５は、見開き２を拡大して図示したもので、５ａは綴じ穴である。
【００３５】  図６は、メッセージシート３で、その四周縁には多数の折り鶴の図形７を表示している。メッセージシート３の上段にはメッセージ３ａが記載され、中央には被贈呈者が写された写真３ｂが表示され、下段には関係者からのメッセージ３ａが記入される。図７は、収納台紙４の各収納部４ａに収納される折り鶴Ｃの平面図で、折り鶴Ｃは、折り紙を所定の手順で折られたもので、図示するように折り鶴Ｃの首Ｃａ、尾羽Ｃｂ及び両翼Ｃｃは、折り曲げられない態様で、表裏面が打ち抜かれて形成された収納台紙４の各収納部４ａに収納されるものである（図８〜図１３他参照）。
【００３６】  図８は、収納台紙４の大きさをＡ４版とした表面部を示している。図示するように、上段の左端から最下段の右端まで１羽〜３６羽の番号Ｎを表示した折り鶴Ｃを収納する収納部４ａが形成されている。収納部４ａの１羽〜３羽目まで折り鶴Ｃ１〜Ｃ３が、図７に示すような折り鶴Ｃの首Ｃａ、尾羽Ｃｂ及び両翼Ｃｃを折り曲げない態様でそれぞれ収納されている。制作された折り鶴Ｃは、４羽目以降の収納部４ａに順次収納されていく。収納台紙４の下部に形成された余白部には、メッセージ欄４ｂが設けられ、折り鶴Ｃの制作者の名前、メッセージ又は制作日等が記入される。４ｃは、各収納台紙４の表裏面に塗布された再接着可能な粘着剤で、Ｆは、各収納台紙４の表裏面を被覆する透明樹脂フィルムである。
【００３７】  図９は、収納台紙４の裏面４ｄに取り付けられた取付台紙１０を示している。Ｐｈ１及びＰｈ２は、例えば、千羽鶴の被贈呈者が所属する趣味のグループ又は町内会等の友人達の写真である。取付台紙１０には、写真Ｐｈ１及びＰｈ２の他、千羽鶴の被贈呈者に関連するシール、カード、チケット、ハガキ等のシート体を取り付けることができる。図１０（ａ）〜（ｄ）は、図９における１０−１０線拡大断面図で、図１０（ａ）に示すように、取付台紙１０は、収納台紙４の裏面４ｄに粘着剤４ｃを介して取り付けられている（図１１参照）。取付台紙１０は、収納台紙４と同様に紙、合成紙又は合成樹シートを素材とし、その大きさは、収納台紙４と同大としている。折り鶴Ｃ３は、収納台紙４の一部を打ち抜いて設けられた収納部４ａに収納されている。図１０（ａ）に示す収納部４ａは、収納台紙４の表面４ｅから裏面４ｄに向かって、傾斜角θ（図１１参照）が形成され、傾斜角θは、約４０°〜５０°に設定されている。折り鶴Ｃ３は、収納台紙４の表面４ｅから収納部４ａに収納され裏面４ｄ側に粘着剤４ｃを介して固定される。取付台紙１０の裏面側にも粘着剤１０ｃが塗布されているので、写真Ｐｈ１及びＰｈ２の他、シール、カード、チケット、ハガキ等のシート体も安定して固定される。折り鶴Ｃ３等が収納部４ａに収納され、写真Ｐｈ１及びＰｈ２等が取付台紙１０に貼付された後、収納台紙４の表面４ｅと取付台紙１０と写真Ｐｈ１及びＰｈ２等は、透明樹脂フィルムＦによって被覆される。これにより、折り鶴Ｃ３等及び写真Ｐｈ１及びＰｈ２等は、塵埃等が付着することなく長期間美麗に保管される。図１０（ｂ）は、図１０（ａ）とは逆に収納台紙４の表面４ｅ側に取付台紙１０を取り付け、写真Ｐｈ１及びＰｈ２等を当該取付台紙１０に貼付した態様を示している。図１０（ｃ）は、収納台紙４の収納部４ａの断面形状を表面４ｅから裏面４ｄに向かって直角とした態様を示している。図１０（ｃ）に図示するように取付台紙１０は、収納台紙４の裏面４ｄに粘着剤４ｃを介して取り付けられている。図１０（ｄ）は、図１０（ｃ）とは逆に収納台紙４の表面４ｅ側に取付台紙１０を取り付け、写真Ｐｈ１及びＰｈ２等を当該取付台紙１０に貼付した態様を示している。
【００３８】  図１１は、図１０におけるＡ部拡大断面図で、図示するように折り鶴Ｃ３等は、収納部４ａの裏面４ｄ側に拡張するように安定して収納され、収納台紙４の表面４ｅ側又は透明樹脂フィルムＦに塗布され、かつ取付台紙１０の粘着剤１０ｃによって固定されるので、アルバム帳１００を開帳したり、収納台紙４をめくったりした際に、折り鶴Ｃ３等はもちろん、写真Ｐｈ１及びＰｈ２等のシート体が、アルバム帳１００から脱落等の不具合が起きることがない。
【００３９】  図１２は、図８における１２−１２線拡大断面図で、収納台紙４は、上述したように、厚紙、合成紙又は合成樹脂シートを素材とし、その厚さ寸法ｗは、図７に示す折り鶴Ｃの厚みである約１ｍｍとほぼ同寸かやや大としている。折り鶴Ｃ３は、３羽の番号Ｎが表示された収納部４ａに収納されている。図示するように、収納部４ａの断面形状は、収納台紙４の表面４ｅ側から裏面４ｄに向かって傾斜角θ（図面上、４５°）が形成され、かつ収納台紙４の表裏面４ｅ、４ｄは、再接着可能な粘着剤４ｃが塗布されると共に、透明樹脂フィルムＦで被覆されている。これにより各収納部４ａに収納された折り鶴Ｃは、収納台紙４から脱落することがない。
【００４０】  図１３は、９８７羽〜１０００羽目の折り鶴Ｃを収納する収納部４ａを形成したＡ４判収納台紙４の表面部を示し、折り鶴Ｃの最終ページである９８７羽〜１０００羽の番号Ｎが表示された収納台紙４の一実施形態を示している。図１３に示す収納部４ａの大ききは、図８に示す収納部４ａ及び折り鶴Ｃより大きく形成しているが、他の収納台紙４と同大とすることもできる。余白部にはメッセージ欄４ｂが設けられている。なお、取付台紙１０は無色、有色又は模様入り、かつ透明又は半透明とすることができ、千羽鶴の被贈呈者の好みの色又は絵模様とすることが好ましい。
【符号の説明】
【００４１】Ｃ        折り鶴
１        表紙体
１ａ      背表紙
１ｂ      オモテ表紙
１ｃ      ウラ表紙
２        見開き
２ａ      記入欄
２ｂ      趣旨表示欄
２ｃ      メッセージ欄
３        メッセージシート
３ａ      メッセージ
３ｂ      写真
４        折り鶴等収納台紙
４ａ      収納部
４ｂ      メッセージ欄
４ｃ      粘着剤
４ｄ      裏面
４ｅ      表面
５        綴じ具
５ａ      綴じ穴
６        千羽鶴の文字
７        折り鶴の図形
７ａ      赤色（金色）折り鶴
７ｂ      白色（銀色）折り鶴
８        文字
１０      取り付け台紙
１０ｃ    粘着剤
Ｐｈ１    写真
Ｎ        番号
Ｆ        透明樹脂フィルム
θ        傾斜角
【図１】
2011148281.tif 000003
【図２】
2011148281.tif 000004
【図３】
2011148281.tif 000005
【図４】
2011148281.tif 000006
【図５】
2011148281.tif 000007
【図６】
2011148281.tif 000008
【図７】
2011148281.tif 000009
【図８】
2011148281.tif 000010
【図９】
2011148281.tif 000011
【図１０】
2011148281.tif 000012
【図１１】
2011148281.tif 000013
【図１２】
2011148281.tif 000014
【図１３】
2011148281.tif 000015